(57)【要約】【課題】  陶器製桟瓦とりわけ一角が破損したり、変形して不良品となった桟瓦を隅瓦に転用することを可能にし、もって陶器製隅瓦の製造コストを低減し、かつ不良陶器製桟瓦の産業廃棄物を減少させる。【解決手段】  略方形の陶器製桟瓦の一角を三角片１０ａ，２０ａ，４０ａ，５０ａ，６０ａ，７０ａ，８０ａ，９０ａ，１００ａ，１１０ａ，１２０ａ，１３０ａに切除して５角形に成形することで、寄せ棟造又は方形造の隅降り棟や隣り合う屋根面が互いに谷に対向する葺き合わせ部分に葺く陶器製隅瓦１０，２０，４０，５０，６０，７０，８０，９０，１００，１１０，１２０，１３０として用いることを可能にする。【選択図】    図１
2005083167.tif 000002
【特許請求の範囲】
【請求項１】
略方形の陶器製桟瓦の一角を三角片に切断削除して五角形に成形したことを特徴とする陶器製隅瓦。
【発明の詳細な説明】
【技術分野】
【０００１】
本発明は、瓦葺屋根で寄せ棟造或は方形造の隅降り棟、または隣り合う屋根面が互いに谷に対向する葺き合わせ部分に葺設される陶器製隅瓦に関する。
【背景技術】
【０００２】
従来の陶器製隅瓦は、隣り合う屋根面が谷に収まるように対向する場所では、略上側二等辺三角形に成型したものが用いられている。また、寄せ棟造や方形造の屋根の隅降り棟を挟んで対向する場所では略下側二等辺三角形に成型した隅瓦が用いられる。これらの隅瓦は専用の金型を使って原材料をプレス成型し、それを焼成して製造される。
【特許文献１】特開平６−７３８４３号公報
【非特許文献１】財団法人住宅産業情報サービス編集・発行  「日本の瓦全集」１９７９年
【非特許文献２】尾上孝一著  「図解木造建築の技術（第21版）」理工学社  １９８３年
【発明の開示】
【発明が解決しようとする課題】
【０００３】
陶器製隅瓦は陶器製桟瓦に比べ、生産数量が少ないにもかかわらず、その製造には専用の金型を必要とするので、一枚あたりの製造コストが桟瓦に比べて高くなる。
一方、隅瓦に比べて圧倒的に生産数量の多い桟瓦では、角が破損したり、変形して不良品となるものの数も相当数に達するが、このような不良品は全て産業廃棄物として処分している。
【０００４】
本発明はかかる問題点に鑑み、陶器製桟瓦とりわけ一角が破損したり、変形して不良品となった桟瓦を隅瓦に転用することを可能にし、もって陶器製隅瓦の製造コストを低減し、かつ不良陶器製桟瓦の産業廃棄物を減少させることを目的とする。
【課題を解決するための手段】
【０００５】
本発明に係る陶器製隅瓦は、略方形の陶器製桟瓦の一角を三角片に切断削除して五角形に成形したことを特徴とする。
【発明の効果】
【０００６】
本発明によれば略方形の陶器製桟瓦の一角を三角形に切除して５角形に成形したので、寄せ棟造又は方形造の隅降り棟や隣り合う屋根面が互いに谷に対向する葺き合わせ部分に葺く隅瓦として用いることができる。
本発明の効果として、陶器製桟瓦を陶器製隅瓦に転用できるため、陶器製隅瓦製造に専用の金型を必要としない。そのため低コストで陶器製隅瓦を製造できる。また、一角が破損したり、変形して不良品となった陶器製桟瓦を有効利用できるので、不良陶器製桟瓦の産業廃棄物を減らすことができる。
【発明を実施するための最良の形態】
【０００７】
本発明は、粘土を主原料とし、金型で略方形にプレス成型し、それを焼成して製造された陶器製桟瓦の一角を三角片に切除して略五角形に成形したものであり、一角の切断面は研摩されている。
【実施例１】
【０００８】
以下に本発明の実施例を図面に基づき説明する。図１と図２には本発明の第１実施例と第２実施例に係る、寄せ棟造又は方形造の隅降り棟に葺く２種類の陶器製隅瓦１０，２０が示されている。陶器製隅瓦１０は略正方形の陶器製和瓦の尻部１１と桟部１２の交差する角をサンダーで三角片１０ａに切断除去することで略５角形に成形されている。三角片１０ａは対角線Ａと略平行に、かつ対角線Ｂの６分目の位置で切断し、切断端面１０ｂが研磨されている。
【０００９】
陶器製隅瓦２０は隅瓦１０と同じく、略正方形の陶器製和瓦を用い、その尻部１１と差込部１３の交差する角をサンダーで三角片２０ａに切断除去することで略５角形に成形されている。三角片２０ａは対角線Ｂと略平行に、かつ対角線Ａの６分目の位置で切断し、切断端面２０ｂが研磨されている。
【００１０】
図３に示すように、陶器製隅瓦１０は寄せ棟造の隅降り棟の左側屋根面に葺かれる桟瓦３０に隣接して葺く。また、陶器製隅瓦２０は隅降り棟の右側屋根面に葺かれる桟瓦３０に隣接して葺く。
【００１１】
次ぎに、本発明の第３実施例と第４実施例に係る２種類の陶器製隅瓦４０，５０を図４と図５に示す。当該陶器製隅瓦４０，５０は隣り合う屋根面が互いに谷に対向する葺き合わせ部分に葺設される谷用の隅瓦である。
【００１２】
陶器製隅瓦４０は略正方形の陶器製和瓦の頭部１４と差込部１３の交差する角をサンダーで三角片４０ａに切断除去することで略５角形に成形されている。三角片４０ａは対角線Ａと略平行に、かつ対角線Ｂの６分目の位置で切断し、切断端面４０ｂが研磨されている。
【００１３】
陶器製隅瓦５０は隅瓦４０と同じく、略正方形の陶器製和瓦を用い、その頭部１４と桟部１２の交差する角をサンダーで三角片５０ａに切断除去することで略５角形に成形されている。三角片５０ａは対角線Ｂと略平行に、かつ対角線Ａの６分目の位置で切断し、切断端面５０ｂが研磨されている。
【００１４】
図６に示すように、陶器製隅瓦４０，５０は隣り合う屋根面が互いに谷に対向する葺き合わせ部分に使用し、谷の左側屋根面に葺かれる桟瓦３０に隣接して隅瓦５０を葺く。また、陶器製隅瓦４０は谷の右側屋根面に葺かれる桟瓦３０に隣接して葺く。なお、第１〜第４実施例では対角線の６分目の位置で三角片を切除したが５分目以上の位置であれば略方形の桟瓦を略５角形に成形できる。
【００１５】
本発明の第５実施例、第６実施例、第７実施例及び第８に係る陶器製隅瓦６０，７０、８０、９０をそれぞれ図７、図８、図９及び図１０に示す。陶器製隅瓦６０は二山タイプの洋瓦の尻部と桟部の角を三角片６０ａに切除して５角形に成形されている。陶器製隅瓦７０は同じく、略正方形の二山タイプの洋瓦を用い、その尻部と差込部の角を三角片７０ａに切除して形成されている。これらの隅瓦６０，７０は寄せ棟造又は方形造の隅降り棟に葺かれる。陶器製隅瓦８０は二山タイプの洋瓦の頭部と差込部の角を三角片８０ａに切除して成形されている。陶器製隅瓦９０は二山タイプの洋瓦の頭部と桟部の角を三角片９０ａに切除して成形されている。陶器製隅瓦８０，９０は屋根の谷部分葺き合わせに使用する。
【００１６】
本発明の第９実施例、第１０実施例、第１１実施例及び第１２に係る陶器製隅瓦１００，１１０，１２０，１３０をそれぞれ図１１、図１２、図１３及び図１４に示す。陶器製隅瓦１００は横長長方形の平板瓦の尻部と桟部の角を三角片１００ａに切除して５角形に成形されている。陶器製隅瓦１１０は同じく、平板瓦を用い、その尻部と差込部の角を三角片１１０ａに切除して形成されている。これらの隅瓦１００，１１０寄せ棟造又は方形造の隅降り棟に葺かれる。陶器製隅瓦１２０は平板瓦の頭部と差込部の角を三角片１２０ａに切除して成形されている。陶器製隅瓦１３０は平板瓦の頭部と桟部の角を三角片１３０ａに切除して成形されている。陶器製隅瓦１２０，１３０屋根の谷部分葺き合わせに使用する。
【産業上の利用可能性】
【００１７】
本発明は、大量生産される方形の陶器製桟瓦、とりわけ角が欠けたり変形して不良品となった桟瓦を隅瓦に利用することを可能にする。
【図面の簡単な説明】
【００１８】
【図１】本発明の第１実施例に係る陶器製隅瓦を示す斜視図である。
【図２】本発明の第２実施例に係る陶器製隅瓦を示す斜視図である。
【図３】隅降り棟の両側に本発明の第１・第２実施例で示した陶器製隅瓦を葺設した平面図
【図４】本発明の第３実施例に係る陶器製隅瓦を示す斜視図である。
【図５】本発明の第４実施例に係る陶器製隅瓦を示す斜視図である。
【図６】谷の両側に本発明の第３・第４実施例で示した陶器製隅瓦を葺設した平面図
【図７】本発明の第５実施例に係る陶器製隅瓦を示す斜視図である。
【図８】本発明の第６実施例に係る陶器製隅瓦を示す斜視図である。
【図９】本発明の第７実施例に係る陶器製隅瓦を示す斜視図である。
【図１０】本発明の第８実施例に係る陶器製隅瓦を示す斜視図である。
【図１１】本発明の第９実施例に係る陶器製隅瓦を示す斜視図である。
【図１２】本発明の第１０実施例に係る陶器製隅瓦を示す斜視図である。
【図１３】本発明の第１１実施例に係る陶器製隅瓦を示す斜視図である。
【図１４】本発明の第１２実施例に係る陶器製隅瓦を示す斜視図である。
【符号の説明】
【００１９】
１０，２０，４０，５０，６０，７０，８０，９０，１００，１１０，１２０，１３０…陶器製隅瓦、
１０ａ，２０ａ，４０ａ，５０ａ，６０ａ，７０ａ，８０ａ，９０ａ，１００ａ，１１０ａ，１２０ａ，１３０ａ…三角片、
３０…桟瓦、
１１…尻部、１２…桟部、１３…差込部、１４…頭部、
Ａ，Ｂ…対角線
【図１】
2005083167.tif 000003
【図２】
2005083167.tif 000004
【図３】
2005083167.tif 000005
【図４】
2005083167.tif 000006
【図５】
2005083167.tif 000007
【図６】
2005083167.tif 000008
【図７】
2005083167.tif 000009
【図８】
2005083167.tif 000010
【図９】
2005083167.tif 000011
【図１０】
2005083167.tif 000012
【図１１】
2005083167.tif 000013
【図１２】
2005083167.tif 000014
【図１３】
2005083167.tif 000015
【図１４】
2005083167.tif 000016